(57)【要約】【課題】筆跡が鮮明で、製造時において筆記面に気泡が溜まりにくく、品質のよい磁気パネルを提供することを目的とする。【解決手段】筆記板の筆記面の外周部に、表側から裏側に向かって漸次外方へ拡がる方向に傾斜する傾斜部を有する側壁を筆記面と一体で成形し、筆記面と側壁とで構成される空間部にマイクロカプセルをバインダーと共に粘性液体として充填し、筆記板の側壁に被覆体を固着することでマイクロカプセルを密封することを特徴とした磁気パネル。【選択図】図５
2009045798.tif 000002
【特許請求の範囲】
【請求項１】
分散媒中に表示用磁性体を分散した分散液体を球形の被覆物質内へ収容してなる複数のマイクロカプセルをバインダーと共に透明な筆記板の裏に配してなる磁気パネルであって、前記筆記板の筆記面の外周部に、表側から裏側に向かって漸次外方へ拡がる方向に傾斜する傾斜部を有する側壁を前記筆記面と一体で成形し、前記筆記面と前記側壁とで構成される空間部に前記マイクロカプセルをバインダーと共に粘性液体として充填し、前記筆記板の側壁に被覆体を固着することで前記マイクロカプセルを密封することを特徴とした磁気パネル。
【請求項２】
前記空間部に前記マイクロカプセルを積層することを特徴とした請求項１に記載の磁気パネル。
【請求項３】
前記筆記板の側壁の傾斜部の端部に、前記筆記面と平行となるように外方向へ曲成した鍔部を形成し、該鍔部の端部に裏側に向かって起立する起立部を形成することを特徴とした請求項１または２に記載の磁気パネル。
【発明の詳細な説明】
【技術分野】
【０００１】
本発明は、分散媒中に表示用磁性体を分散した分散液体を球形の被覆物質内へ収容してなる複数のマイクロカプセルをバインダーと共に粘性液体として透明な筆記板の裏に配してなる磁気パネルに関する。
【背景技術】
【０００２】
筆記用磁石を筆記先端とした磁気ペンを用いて筆記を行うことで、その磁石の磁界を利用して筆跡を表示する構造の磁気パネルは従来からよく知られている。具体的にこの磁気パネルには、
ａ）例えば、特公昭６２−５３３５９号公報により開示されているように、筆記面となる表面板の裏側に多セル構造の液体収容室を設け、磁性粒子を着色分散媒に分散した分散液体を前記液体収容室に封入し、パネルの表示面側から磁気ペンの磁界を作用させることにより、分散媒中の磁性粒子を表側に引き寄せて表示を行い、またパネルの裏面側から消去用磁石の磁界で磁性粒子を裏側に引き寄せて筆跡を消去するいわゆる磁気泳動型表示パネル、
ｂ）あるいは、特公昭５９−３２７９６号公報により開示されているように、Ｓ極側表面を第一色にＮ極側表面を第二色に着色した微小磁石が分散媒中に分散された分散液体を液体収容室に収容した磁気パネルであって、パネルの表側から磁気ペンの磁界を作用させて前記微小磁石を反転して筆記を行い、同じく表側から筆記時とは逆の磁界を作用させることで前記微小磁石を再反転して筆跡を消去するいわゆる磁気反転型表示パネル、
ｃ）また、ＷＯ２００５／０３３７９０号公報により開示されているように、高保磁力材からなる第１の磁性材料と低保磁力材からなる第２の磁性材料とが混在し、Ｓ極側表面を第一色に着色しＮ極側表面を第二色に着色した微小磁石が、第三色の色となる着色材を含有する分散媒中に分散された分散液体を液体収容室に収容した磁気パネルであって、パネルの表側から磁気ペンの磁界を作用させて前記微小磁石を泳動または泳動／反転させて筆記を行い、さらに表側から筆記の時とは逆の磁極を作用させることで、前記の表示を形成した微小磁石を反転させて筆記色を変化させることができ、またパネルの裏側から消去用磁石の磁界で微小磁石を裏側に引き寄せて筆跡を消去する構造の磁気泳動反転型表示パネルがある。
【特許文献１】特公昭６２−５３３５９号公報
【特許文献２】特公昭５９−３２７９６号公報
【特許文献３】ＷＯ２００５／０３３７９０号公報
【０００３】
前述した磁気パネルの中でも、マイクロカプセルを液体収容室として分散液体を収容する構造の磁気パネルは、ハニカム状の隔壁を設けて構成する多セル構造の磁気パネルとは異なり、透明な筆記面から透けて見える隔壁が存在しないという利点がある。また、微小磁石を表示用磁性体とする磁気パネルでは、各液体収容室内に分散してある複数の微小磁石が互いに吸引して凝集してしまう場合があるが、多セル構造の磁気パネルのセル内容積が約３．９ｍｍ３〜１１．７ｍｍ３であるのに対し、マイクロカプセルの内容積は約５．２×１０−４ｍｍ３〜６．５×１０−２ｍｍ３で約１／１００の容積しかないことから、必然的に各々のマイクロカプセルに収容させる微小磁石の配分量は少なくなり、凝集による問題を低減できるという利点がある。
【０００４】
しかしながらマイクロカプセルの外殻には、加工を行いやすいことから、ゼラチンやアルギン酸塩などの多孔質状である被覆物質が用いられており、且つマイクロカプセルに収容する分散媒としては、表示用磁性体の動きを滑らかにするため、一般的に低粘度の液体が使用されており、分散媒が蒸発しやすい状態になる。このためマイクロカプセルは、気密性の高いパネル構造にて密封させることが必要となり、例えば図６に示すように、磁気パネル１Ａの表側となる筆記板４０は、外周部に、表から裏側へ向かって曲成した垂直部５０と該垂直部５０の端部を外側に曲成した鍔部６０とを有する側壁３０を筆記面２０と一体で形成してあり、さらに鍔部６０と裏面板１８０とを接着することで、前記筆記面２０と垂直部５０とで構成した空間部９０の気密性を確保し、空間部９０に収容したマイクロカプセル１０を密封する構造としていた。尚、製造時において前記空間部９０にはマイクロカプセル１０と共に、水にウレタンアクリレートやエチレン酢ビあるいはスチレンアクリル等の透明な樹脂を混ぜたバインダー１５を入れて粘性液体とし、空間部９０内におけるマイクロカプセルの分布密度を均一な状態で充填できるようにしてある。
【０００５】
次に具体的に従来の筆記板の裏にマイクロカプセルを充填する際の説明を行う。図７はマイクロカプセルを充填する際の説明図であり、さらに詳しくは、マイクロカプセルとバインダーとからなる粘性液体１９を、筆記板４０の筆記面２０の裏に空間部９０から盛り上がるように載せ、長尺のヘラ３００にて矢印Ｂ方向に移動させることで筆記板４０の裏にマイクロカプセル（図示せず）を均一に充填する際の工程である。従来構造の磁気パネル１Ａでは、筆記板４０の垂直部５０が筆記面２０に対して垂設してあることから、図７に示すようにヘラ３００にて移動された粘性液体１９に伴って矢印Ｃ方向に移動する気泡Ｋが、筆記面２０の端の角部にて溜まりやすい構造である。また磁気パネルに筆記した筆跡を鮮明にするためには、表示用磁性体を収容してなるマイクロカプセルの配合量をバインダーに対して多くした方がよく、図７に示すように一度角部に溜まった気泡Ｋは積層されたマイクロカプセルによって排出されにくい状態となる。したがって結果的に図７の状態でバインダーが固まってしまい、完成した磁気パネルを表側から見た時に、溜まった気泡が見えて見栄えが悪くなるという問題があった。また経時的には、溜まった気泡の部分から筆記板とマイクロカプセルとを離間する隙間が生じ、その隙間が筆記面まで広がることによりさらに見栄えを悪くしたりあるいは筆跡を見辛くするという問題や、その隙間にマイクロカプセル内の分散媒が蒸発することで当該マイクロカプセル内にある表示用磁性体の動きを悪くするという問題を発生させていた。尚、ヘラで粘性液体を移動させる速度を遅くして気泡を発生しにくくすることも可能ではあるが、生産効率が悪くなるという新たな問題が生じてしまった。
【発明の開示】
【発明が解決しようとする課題】
【０００６】
本発明は、筆跡が鮮明で、製造時において筆記面に気泡が溜まりにくく、品質のよい磁気パネルを提供することを目的とする。
【課題を解決するための手段】
【０００７】
本発明は、
「１．分散媒中に表示用磁性体を分散した分散液体を球形の被覆物質内へ収容してなる複数のマイクロカプセルをバインダーと共に透明な筆記板の裏に配してなる磁気パネルであって、前記筆記板の筆記面の外周部に、表側から裏側に向かって漸次外方へ拡がる方向に傾斜する傾斜部を有する側壁を前記筆記面と一体で成形し、前記筆記面と前記側壁とで構成される空間部に前記マイクロカプセルをバインダーと共に粘性液体として充填し、前記筆記板の側壁に被覆体を固着することで前記マイクロカプセルを密封することを特徴とした磁気パネル。
２．前記空間部に前記マイクロカプセルを積層することを特徴とした１項に記載の磁気パネル。
３．前記筆記板の側壁の傾斜部の端部に、前記筆記面と平行となるように外方向へ曲成した鍔部を形成し、該鍔部の端部に裏側に向かって起立する起立部を形成することを特徴とした１項または２項に記載の磁気パネル。」である。
【０００８】
本発明における筆記板は、筆記面に対して側壁を一体で成形することから、筆記面と側壁との間に接着等による接合部が生じないので、見栄えがよく密封性にも優れ、空間部に粘性液体を充填する際にも気泡が滞留しにくい構造とすることができる。尚、筆記板は、筆記面を通して表示用磁性体を見ることから、薄い透明なシート状のもので形成することが好ましく、具体的な材質としては、ポリスチレン，ポリプロピレン，ポリエチレン，ポリ塩化ビニル，ポリカーボネート，ＰＥＴ，ポリ塩化ビニリデン，Ａ−ＰＥＴ等の気体透過性が低くマイクロカプセル内の分散媒が透過しにくいものを用いるとよい。また筆記板の成形方法としては、真空成形，圧空成形，真空圧空成形、射出成形等の成形方法を用いることにより、側壁を筆記面に対して容易に立体的に形成することが可能となる。
また筆記板の側壁に固着する被覆体は、筆記板と同様のシート状のものを裏面板として接着したり、あるいは接着剤を筆記板の側壁とマイクロカプセルの裏とに直接塗布するなどして、要は空間部に充填したマイクロカプセルを密封するものとする。尚、被覆体として裏面板を用いる場合には、前述の筆記板と同様に気体透過性が低い材質を用いることが好ましいが、筆記面を有する筆記板とは異なり透明性には優れていなくてもよい。具体的には、ＰＥＴ，Ａ−ＰＥＴ，ポリカーボネート等の樹脂材や、あるいは鉄，アルミ，ステンレス等の金属材を使用することが可能である。
【０００９】
また、筆記板の筆記面の外周部に形成する側壁は、筆記面の端から裏側に向かって約１０度〜６０度の角度で漸次外方へ拡がる方向へ傾斜するように設定することで、マイクロカプセルとバインダーとを混ぜた粘性液体を筆記板の空間部に充填する際に、気泡を筆記板から排出しやすい形態となる。また筆記板の側壁の傾斜部の端部に設ける鍔部は、空間部にマイクロカプセルを充填する際にヘラの底面を当接させることで、マイクロカプセルを均一な充填状態とすることができ、また鍔部の端部に形成する起立部は、ヘラが移動する方向に対して直交する方向のズレを防止するガイドとなる。尚、側壁に鍔部と起立部を設けた場合には、充填したマイクロカプセルと鍔部および起立部とで構成される第二の空間部が形成され、この第二の空間部にウレタン，シリコン，エポキシ等の被覆層を被覆体として設けることで、マイクロカプセルの密封状態を向上させることができる。またさらに、起立部の端部に曲成する第二の鍔部を設けることで、前記第二の空間部に被覆層をヘラで均一な厚みに塗布して設ける際のガイドとなり、また裏面板を配設する際には第二の鍔部と裏面板とを面と面とで接着しやすい構造となる。
【発明の効果】
【００１０】
本発明の磁気パネルは前述したような構造なので、筆跡が鮮明で、製造時において筆記面に気泡が溜まりにくく、品質のよい磁気パネルを提供できるものとなる。
【発明を実施するための最良の形態】
【００１１】
次に図面を参照しながら、本発明の磁気反転型表示パネルの実施例を説明するが、本発明は以下の実施例に限定されるものではない。また図中の同じ部材、同じ部品については、同じ符号としてある。本実施例では、筆記面がある側を表側とし反対側を裏側として表現する。
【００１２】
図１は本実施例の磁気パネルに磁気ペンで筆記を行っている状態の図である。図に示すように磁気パネル１の長方形の外周には、枠体１００を配設しており、磁気パネル１の筆記面２には磁気ペン２００の筆記用磁石２００ａにて筆記を行った「Ａ」の文字が表示されている。図２は磁気パネルを筆記面側から見た図である。磁気パネル１は、平滑な筆記面２の外周部の四辺に側壁３を一体で形成した筆記板４を基体とし、前記側壁３を筆記面２の外縁より表から裏側に向かって漸次外方へ拡がる方向に筆記面２に対して３０度で傾斜する傾斜部５と、該傾斜部５の端部より筆記面２と平行となるように外方向へ曲成した鍔部６と、該鍔部６の端部に裏側へ起立させた起立部７と、該起立部７の端部に前記鍔部６と同様に外方向へ曲成した第二の鍔部８とで構成してある。
【００１３】
図３は磁気パネルに枠体を配設した状態の断面を模式的に表したもので、図４は図３の一部拡大図である。磁気パネル１は筆記面２と傾斜部５とで構成する空間部９に、マイクロカプセル１０を二層構造で充填してある。マイクロカプセル１０はゼラチンからなる被覆物質１１の内部に、分散媒１２中に表示用磁性体１３を分散した分散液体１４を収容してある。尚、本実施例ではオイルを主成分とした分散媒１２に対して図示しないが増稠剤や帯電防止剤を配合してある。
【００１４】
また表示用磁性体１３は、微小磁石に着色を施したもので、本実施例ではＳ極側表面を白色に、Ｎ極側表面を緑色としてある。また前記空間部９にはマイクロカプセル１０と共に、水にウレタンアクリレートを混ぜたバインダー１５を充填してある。また、充填したマイクロカプセル１０と鍔部６と起立部７とで構成した第二の空間部１６には、ウレタンアクリレートからなる被覆層１７を設けてマイクロカプセル１０の密封状態を向上させている。さらに被覆層１７の裏面と第二の鍔部８の裏面には、エポキシ接着剤（図示せず）で裏面板１８を接着してある。本実施例では、筆記板４および裏面板１８は共に透明なＡ−ＰＥＴからなり、筆記板４は真空成形にて形成してある。
【００１５】
次に図５を用いて本実施例の磁気パネルの製造工程の一部について説明を行う。図５は筆記板の空間部にマイクロカプセルを充填する際の説明図である。図に示すように筆記板４の筆記面２に、バインダー（図示せず）とマイクロカプセル（図示せず）とを配合した粘性液体１９を空間部９から盛り上がるように載せ、長尺のヘラ３００にて矢印Ａ方向に移動させて充填を行う。ヘラ３００は磁気パネル１の長手方向（図２参照）に移動させるもので、短手方向（図２参照）の鍔部６にヘラ３００の端部（図示せず）を当接させて、粘性液体１９の裏面１９ａを均一な高さで充填することができる。この時の粘性液体１９は仮想線で示すように、ヘラ３００に押されて崩れ落ちる波のように巻き込みながら矢印Ｂ方向に進むが、この時に発生する気泡Ｋも矢印Ｃ方向に進み、筆記面２の端にきたところで傾斜部５によって空間部９から容易に外部へ排出することができる。したがって本実施例の磁気パネル１は、問題となる気泡が溜まりにくいものとなった。図５のようにして空間部９に充填した粘性液体１９が固化した後に、図３に示すように被覆層１７を設け、裏面板１８に接着し、枠体１００を磁気パネル１の外周に配設して完成した。
【産業上の利用可能性】
【００１６】
本発明の磁気パネルの構造は、前記実施例の磁気反転型表示パネルに限らず、磁気泳動型表示パネルや磁気泳動反転型表示パネルに用いることも可能である。
【図面の簡単な説明】
【００１７】
【図１】本実施例の磁気パネルに磁気ペンで筆記を行っている状態の図である。
【図２】磁気パネルを筆記面側から見た図である。
【図３】磁気パネルに枠体を配設した状態の断面を模式的に表したものである。
【図４】図３の一部拡大図である。
【図５】筆記板の空間部にマイクロカプセルを充填する際の説明図である。
【図６】従来の磁気パネルの断面図である。
【図７】従来の磁気パネルにマイクロカプセルを充填する際の説明図である。
【符号の説明】
【００１８】
１…磁気パネル、２…筆記面、３…側壁、４…筆記板、
５…傾斜部、６…鍔部、７…起立部、８…第二の鍔部、
９…空間部、１０…マイクロカプセル、１１…被覆物質、
１２…分散媒、１３…表示用磁性体、１４…分散液体、
１５…バインダー、１６…第二の空間部、１７…被覆層、
１８…裏面板、１９…粘性液体、１９ａ…裏面、
１００…枠体、２００…磁気ペン、２００ａ…筆記用磁石、
３００…ヘラ。
【図１】
2009045798.tif 000003
【図２】
2009045798.tif 000004
【図３】
2009045798.tif 000005
【図４】
2009045798.tif 000006
【図５】
2009045798.tif 000007
【図６】
2009045798.tif 000008
【図７】
2009045798.tif 000009